(57)【特許請求の範囲】
【請求項１】
屋内配線に接続された複数の機器の動作を制御する制御装置であって、
基準電力と、前記複数の機器間における制御順位を決定するための度合いである制御優先度を示す機器優先度情報と、前記複数の機器の各々が配置される各部屋の優先度を示す部屋優先度情報と、前記機器毎に予め設定された動作時の消費電力を示した消費電力情報とを格納した記憶装置と、
前記複数の機器の使用電力を取得する取得部と、
前記制御優先度を前記部屋優先度情報に基づいて変更する変更部と、
前記取得した使用電力が前記基準電力を超えたか否かを判断するとともに、前記取得した使用電力と前記基準電力との差分を算出する判断部と、
前記取得した使用電力が前記基準電力を超えたことに基づき、前記複数の機器のうち前記変更後の制御優先度が高い機器に対して、当該機器の使用電力を低減させる指令を送信する送信部と、
前記取得した使用電力が前記基準電力を超えた場合、前記変更後の制御優先度と前記差分と前記消費電力情報とに基づき、前記指令を送信する機器を少なくとも１つ以上特定する特定部と、
前記特定された機器毎に前記指令を生成する生成部と、
各前記部屋に設置された人感センサから人の在室状況を示した在室状況情報を受信する第１受信部とを備え、
前記制御優先度は、当該機器が設置されている部屋に人が居る場合の前記制御順位を決定するための度合いである在室時制御優先度と、当該部屋に人が居ない場合の前記制御順位を決定するための度合いである不在時制御優先度とを含み、
前記変更部は、前記在室時制御優先度と、前記不在時制御優先度とを、前記部屋優先度情報に基づき変更し、
前記特定部は、
前記在室状況情報が部屋に人が居ることを示しているときには、前記在室時制御優先度を前記変更部で変更した後の制御優先度に基づき、前記指令を送信する機器を特定し、
前記在室状況情報が部屋に人が居ないことを示しているときには、前記不在時制御優先度を前記変更部で変更した後の制御優先度に基づき、前記指令を送信する機器を特定する、制御装置。
【請求項２】
前記制御装置は、来客があることを示す来客情報の入力を受け付ける受付部をさらに備え、
前記制御優先度は、来客がある場合の前記制御順位を決定するための度合いである来客時制御優先度をさらに含み、
前記変更部は、前記来客時制御優先度を、前記部屋優先度情報に基づき変更し、
前記特定部は、前記来客情報の入力を前記受付部が受け付けたときには、前記来客時制御優先度を前記変更部で変更した後の制御優先度に基づき、前記指令を送信する機器を特定する、請求項１に記載の制御装置。
【請求項３】
前記部屋優先度情報は、前記部屋に人が居る場合の前記優先度を示す在室時優先度情報と、当該部屋に人が居ない場合の前記優先度を示す不在時優先度情報とを含み、
前記変更部は、前記在室時制御優先度を、前記在室時優先度情報を用いて変更し、前記不在時制御優先度を、前記不在時優先度情報を用いて変更し、
前記特定部は、
前記在室状況情報が部屋に人が居ることを示しているときには、前記在室時優先度情報を用いて変更された制御優先度に基づき前記指令を送信する機器を特定し、
前記在室状況情報が部屋に人が居ないことを示しているときには、前記不在時優先度情報を用いて変更された制御優先度に基づき前記指令を送信する機器を特定する、請求項１に記載の制御装置。
【請求項４】
屋内配線に接続された複数の機器の動作を制御する制御装置であって、
基準電力と、前記複数の機器間における制御順位を決定するための度合いである制御優先度を示す機器優先度情報と、前記複数の機器の各々が配置される各部屋の優先度を示す部屋優先度情報とを格納した記憶装置と、
前記複数の機器の使用電力を取得する取得部と、
前記制御優先度を前記部屋優先度情報に基づいて変更する変更部と、
前記取得した使用電力が前記基準電力を超えたか否かを判断する判断部と、
前記取得した使用電力が前記基準電力を超えたことに基づき、前記複数の機器のうち前記変更後の制御優先度が高い機器に対して、当該機器の使用電力を低減させる指令を送信する送信部と、
各前記部屋に設置された人感センサから人の在室状況を示した在室状況情報を受信する第１受信部とを備え、
前記変更部は、前記在室状況情報が前記部屋に人が居ることを示している場合には、前記部屋優先度情報と前記在室状況情報に応じて予め定められた情報とに基づいて、前記制御優先度を変更する、制御装置。
【請求項５】
前記制御装置は、来客があることを示す来客情報の入力を受け付ける受付部をさらに備え、
前記変更部は、前記来客があることを示す入力があった場合には、前記部屋優先度情報と前記来客情報に応じて予め定められた情報とに基づいて、前記制御優先度を変更する請求項４に記載の制御装置。
【請求項６】
請求項１から５のいずれか１項に記載の制御装置と、該制御装置により制御される複数の機器とを備えた使用電力制御システム。
【請求項７】
屋内配線に接続された複数の機器の動作を制御するための制御装置における制御方法であって、
前記制御装置のプロセッサが、基準電力を前記制御装置のメモリに格納するステップと、
前記プロセッサが、前記複数の機器間における制御順位を決定するための度合いであって当該機器が設置されている部屋に人が居る場合の前記制御順位を決定するための度合いである在室時制御優先度と当該部屋に人が居ない場合の前記制御順位を決定するための度合いである不在時制御優先度とを含む制御優先度を、示す機器優先度情報を前記制御装置のメモリに格納するステップと、
前記プロセッサが、前記複数の機器の各々が配置される各部屋の優先度を示す部屋優先度情報を、前記制御装置のメモリに格納するステップと、
前記プロセッサが、前記機器毎に予め設定された動作時の消費電力を示した消費電力情報を、前記制御装置のメモリに格納するステップと、
前記プロセッサが、前記複数の機器の使用電力を取得するステップと、
前記プロセッサが、各前記部屋に設置された人感センサから人の在室状況を示した在室状況情報を受信するステップと、
前記プロセッサが、前記在室時制御優先度と前記不在時制御優先度と含んで前記制御優先度を前記部屋優先度情報に基づいて変更するステップと、
前記プロセッサが、前記取得した使用電力が前記基準電力を超えたか否かを判断するステップと、
前記プロセッサが、前記取得した使用電力と前記基準電力との差分を算出するステップと、
前記プロセッサが、前記取得した使用電力が前記基準電力を超えたことに基づき、前記複数の機器のうち前記変更後の制御優先度が高い機器に対して、当該機器の使用電力を低減させる指令を送信するステップとを備え、
前記機器の使用電力を低減させる指令を送信するステップは、
前記プロセッサが、前記取得した使用電力が前記基準電力を超えた場合、前記変更後の制御優先度と前記差分と前記消費電力情報とに基づき、前記指令を送信する機器を少なくとも１つ以上特定するとともに、さらに、前記在室状況情報が部屋に人が居ることを示しているときには、前記在室時制御優先度を前記変更部で変更した後の制御優先度に基づき、前記指令を送信する機器を特定し、前記在室状況情報が部屋に人が居ないことを示しているときには、前記不在時制御優先度を前記変更部で変更した後の制御優先度に基づき、前記指令を送信する機器を特定するステップと、
前記プロセッサが、前記特定された機器毎に前記指令を生成するステップとを含む制御方法。
【請求項８】
屋内配線に接続された複数の機器の動作を制御するための制御装置における制御方法であって、
前記制御装置のプロセッサが、基準電力を前記制御装置のメモリに格納するステップと、
前記プロセッサが、前記複数の機器間における制御順位を決定するための度合いである制御優先度を示す機器優先度情報を、前記制御装置のメモリに格納するステップと、
前記プロセッサが、前記複数の機器の各々が配置される各部屋の優先度を示す部屋優先度情報を、前記制御装置のメモリに格納するステップと、
前記プロセッサが、前記複数の機器の使用電力を取得するステップと、
前記プロセッサが、各前記部屋に設置された人感センサから人の在室状況を示した在室状況情報を受信するステップと、
前記プロセッサが、前記制御優先度を前記部屋優先度情報に基づいて変更するステップであって、前記在室状況情報が前記部屋に人が居ることを示している場合には、前記部屋優先度情報と前記在室状況情報に応じて予め定められた情報とに基づいて、前記制御優先度を変更するステップと、
前記プロセッサが、前記取得した使用電力が前記基準電力を超えたか否かを判断するステップと、
前記プロセッサが、前記取得した使用電力が前記基準電力を超えたことに基づき、前記複数の機器のうち前記変更後の制御優先度が高い機器に対して、当該機器の使用電力を低減させる指令を送信するステップとを備える制御方法。
【発明の詳細な説明】
【技術分野】
【０００１】
本発明は、制御装置、使用電力制御システム、および制御方法に関する。特に、宅内の使用電力を制限する制御装置、当該制御装置を備えた使用電力制御システム、および当該制御装置における制御方法に関する。
【背景技術】
【０００２】
従来、複数の機器の使用電力が契約電力を超えた場合に遮断優先順位であるデマンド処理優先順位の高い機器から電源遮断してデマンド処理を行なう電力デマンド制御装置が知られている。【０００３】
特開平９−２５２５３３号公報（特許文献１）には、上記電力デマンド制御装置として、機器のアドレスとデマンド処理優先順位とを機器毎に同一かつ個別のスイッチ手段で設定し、使用電力が契約電力を超えた場合、全体のブレーカにより複数の機器を全て遮断する前に、スイッチ手段で設定されたデマンド処理優先順位に従って優先順位の高い機器から個別に電力を遮断する装置が開示されている。
【先行技術文献】
【特許文献】
【０００４】
【特許文献１】特開平９−２５２５３３号公報
【発明の概要】
【発明が解決しようとする課題】
【０００５】
しかしながら、特許文献１の電力デマンド制御装置では、ユーザが優先して利用したい部屋がある場合、当該部屋の各機器（特にユーザが使用する機器）の電力遮断を避けるためには、当該部屋の各機器のデマンド処理優先順位を上げる必要がある。【０００６】
すなわち、ユーザは、優先して利用する部屋の各機器について、デマンド処理優先順位を上げる操作を行なわなくてはならない。【０００７】
本発明は、上記問題点を鑑みなされたものであって、その目的は、部屋の優先度を考慮しつつも宅内の使用電力の制限を可能とする制御装置、使用電力制御システム、および制御方法を提供することにある。
【課題を解決するための手段】
【０００８】
本発明のある局面に従うと、制御装置は、屋内配線に接続された複数の機器の動作を制御する制御装置であって、基準電力と、複数の機器間における制御順位を決定するための度合いである制御優先度を示す機器優先度情報と、複数の機器の各々が配置される各部屋の優先度を示す部屋優先度情報とを格納した記憶装置と、複数の機器の使用電力を取得する取得部と、制御優先度を部屋優先度情報に基づいて変更する変更部と、取得した使用電力が基準電力を超えたか否かを判断する判断部と、取得した使用電力が基準電力を超えたことに基づき、複数の機器のうち変更後の制御優先度が高い機器に対して、当該機器の使用電力を低減させる指令を送信する送信部とを備える。【０００９】
好ましくは、記憶装置は、機器毎に予め設定された動作時の消費電力を示した消費電力情報をさらに格納する。判断部は、取得した使用電力と基準電力との差分を算出する算出部を含む。制御装置は、取得した使用電力が基準電力を超えた場合、変更後の制御優先度と差分と消費電力情報とに基づき、指令を送信する機器を少なくとも１つ以上特定する特定部と、特定された機器毎に指令を生成する生成部とをさらに備える。【００１０】
好ましくは、制御装置は、各部屋に設置された人感センサから人の在室状況を示した在室状況情報を受信する第１受信部をさらに備える。制御優先度は、当該機器が設置されている部屋に人が居る場合の制御順位を決定するための度合いである在室時制御優先度と、当該部屋に人が居ない場合の制御順位を決定するための度合いである不在時制御優先度とを含む。変更部は、在室時制御優先度と、不在時制御優先度とを、部屋優先度情報に基づき変更する。特定部は、在室状況情報が部屋に人が居ることを示しているときには、在室時制御優先度を変更部で変更した後の制御優先度に基づき、指令を送信する機器を特定し、在室状況情報が部屋に人が居ないことを示しているときには、不在時制御優先度を変更部で変更した後の制御優先度に基づき、指令を送信する機器を特定する。【００１１】
好ましくは、制御装置は、来客があることを示す来客情報の入力を受け付ける受付部をさらに備える。制御優先度は、来客がある場合の制御順位を決定するための度合いである来客時制御優先度をさらに含む。変更部は、来客時制御優先度を、部屋優先度情報に基づき変更する。特定部は、来客情報の入力を受付部が受け付けたときには、来客時制御優先度を変更部で変更した後の制御優先度に基づき、指令を送信する機器を特定する。【００１２】
好ましくは、部屋優先度情報は、部屋に人が居る場合の優先度を示す在室時優先度情報と、当該部屋に人が居ない場合の優先度を示す不在時優先度情報とを含む。変更部は、在室時制御優先度を、在室時優先度情報を用いて変更し、不在時制御優先度を、不在時優先度情報を用いて変更する。特定部は、在室状況情報が部屋に人が居ることを示しているときには、在室時優先度情報を用いて変更された制御優先度に基づき指令を送信する機器を特定し、在室状況情報が部屋に人が居ないことを示しているときには、不在時優先度情報を用いて変更された制御優先度に基づき指令を送信する機器を特定する。【００１３】
好ましくは、制御装置は、各部屋に設置された人感センサから人の在室状況を示した在室状況情報を受信する第１受信部をさらに備える。変更部は、在室状況情報が部屋に人が居ることを示している場合には、部屋優先度情報と在室状況情報に応じて予め定められた情報とに基づいて、制御優先度を変更する。【００１４】
好ましくは、制御装置は、来客があることを示す来客情報の入力を受け付ける受付部をさらに備える。変更部は、来客があることを示す入力があった場合には、部屋優先度情報と来客情報に応じて予め定められた情報とに基づいて、制御優先度を変更する。【００１５】
好ましくは、複数の機器の少なくとも１つは空気調和機である。制御装置は、空気調和機から、当該空気調和機が設置された部屋の設定条件を示した設定条件情報と、設定条件下における当該部屋の環境を示した環境情報とを受信する第２受信部をさらに備える。変更部は、部屋優先度情報と設定条件情報と環境情報とに基づいて、制御優先度を変更する。【００１６】
本発明の他の局面に従うと、使用電力制御システムは、屋内配線に接続された複数の機器の動作を制御する制御装置と、当該複数の機器とを備えた使用電力制御システムである。制御装置は、基準電力と、複数の機器間における制御順位を決定するための度合いである制御優先度を示す機器優先度情報と、複数の機器の各々が配置される各部屋の優先度を示す部屋優先度情報とを格納した記憶装置と、複数の機器の使用電力を取得する取得部と、制御優先度を優先度情報に基づいて変更する変更部と、取得した使用電力が基準電力を超えたか否かを判断する判断部と、取得した使用電力が基準電力を超えたことに基づき、複数の機器のうち変更後の制御優先度が高い機器に対して、当該機器の使用電力を低減させる指令を送信する送信部とを含む。複数の機器は、指令を受け付けたことに基づき、当該指令に基づいた動作を実行する。【００１７】
本発明のさらに他の局面に従うと、制御方法は、屋内配線に接続された複数の機器の動作を制御するための制御装置における制御方法であって、制御装置のプロセッサが、基準電力と、複数の機器間における制御順位を決定するための度合いである制御優先度を示す機器優先度情報と、複数の機器の各々が配置される各部屋の優先度を示す部屋優先度情報とを、制御装置のメモリに格納するステップと、プロセッサが、複数の機器の使用電力を取得するステップと、プロセッサが、制御優先度を優先度情報に基づいて変更するステップと、プロセッサが、取得した使用電力が基準電力を超えたか否かを判断するステップと、プロセッサが、取得した使用電力が基準電力を超えたことに基づき、複数の機器のうち変更後の制御優先度が高い機器に対して、当該機器の使用電力を低減させる指令を送信するステップとを備える。
【発明の効果】
【００１８】
制御装置、使用電力制御システム、および制御方法によれば、部屋の優先度を考慮しつつも宅内の使用電力の制限を可能となる。
【図面の簡単な説明】
【００１９】
【図１】使用電力制御システムの概要を示した図である。
【図２】制御装置が記憶する機器ポイント情報を示した図である。
【図３】制御装置のハードウェア構成を示した図である。
【図４】制御装置が記憶する基本機器ポイント情報を示した図である。
【図５】制御装置が記憶する部屋情報を示した図である。
【図６】制御装置が記憶する変更後機器ポイント情報を示した図である。
【図７】制御装置の機能的構成を示した機能ブロック図である。
【図８】制御装置の処理の流れを示したフローチャートである。
【図９】図８のステップＳ１４に示す処理の詳細を示したフローチャートである。
【図１０】不在時の基礎ポイントと来客時の基礎ポイントとを演算により求める場合における、機器ポイント情報を示した図である。
【図１１】不在時の基礎ポイントと来客時の基礎ポイントとを演算により求める場合における、基本機器ポイント情報を示した図である。
【図１２】制御装置が記憶する部屋情報を示した図である。
【図１３】変更後機器ポイント情報を示した図である。
【発明を実施するための形態】
【００２０】
以下、図面を参照しつつ、本発明の実施の形態に係る制御装置および当該制御装置を含む使用電力制御システムについて説明する。以下の説明では、同一の部品には同一の符号を付してある。それらの名称および機能も同じである。したがって、それらについての詳細な説明は繰り返さない。
【００２１】
＜システムの概要＞
図１は、本実施の形態に係る使用電力制御システム１の概要を示した図である。使用電力制御システム１は、需用電力（デマンド）を制御するシステムである。図１を参照して、使用電力制御システム１は、家屋９００内（宅内）で使用されるシステムである。家屋９００は、和室９１０と、リビング９２０と、キッチン９３０と、寝室９４０とを有する。
【００２２】
使用電力制御システム１は、制御装置１００と、制御装置１００の制御対象である複数の機器２１１、２１２、２２１〜２２３、２３１〜２３４、２４１〜２４３と、人感センサ３１０、３２０、３３０、３４０と、電力量計４００とを備えている。複数の機器２１１、２１２、２２１〜２２３、２３１〜２３４、２４１〜２４３は、家屋９００の屋内配線に接続されている。なお、以下では、複数の機器２１１、２１２、２２１〜２２３、２３１〜２３４、２４１〜２４３を、「宅内機器群」とも称する。
【００２３】
制御装置１００、電力量計４００、人感センサ３１０、空気清浄機２１１、および照明器具２１２は、和室９１０に配置されている。人感センサ３２０、テレビ２２１、空気調和機２２２、および照明器具２２３は、リビング９２０に配置されている。人感センサ３３０、テレビ２３１、ＩＨ（Induction  Heating）調理器２３２、冷蔵庫２３３、および照明器具２３４は、キッチン９３０に配置されている。人感センサ３４０、ＰＣ（Personal  Computer）２４１、空気調和機２４２、および照明器具２４３は、寝室９４０に配置されている。
【００２４】
なお、本実施の形態では、制御装置１００と電力量計４００とが和室９１０に配置された例を挙げて説明するが、制御装置１００および電力量計４００の配される部屋は和室９１０に限定されるものではない。たとえば、キッチン９３０、玄関（図示せず）、および納戸（図示せず）などの室内、あるいは家屋９００の外壁に配置されていてもよい。
【００２５】
制御装置１００は、電力量計４００と有線にて接続されている。また、制御装置１００は、各部屋の人感センサ３１０、３２０、３３０、３４０と有線にて接続されている。さらに、制御装置１００は、たとえば無線ＬＡＮ（Local  Area  Network）によって、上記宅内機器群と無線にて通信可能に接続されている。
【００２６】
なお、制御装置１００は、電力量計４００および人感センサ３１０、３２０、３３０、３４０と無線にて接続されていてもよい。また、制御装置１００は、上記宅内機器群と有線にて接続されていてもよい。
【００２７】
人感センサ３１０、３２０、３３０、３４０は、それぞれ、和室９１０、リビング９２０、キッチン９３０、寝室９４０に人が居るか否かを検知する。人感センサ３１０、３２０、３３０、３４０は、それぞれ、人の在室状況を示した在室状況情報を制御装置１００に送信する。
【００２８】
電力量計４００は、上記宅内機器群の使用電力を計量する。より具体的には、電力量計４００は、家屋９００において使用されている電力をリアルタイムに計量する。電力量計４００は、たとえば、スマートメータである。
【００２９】
制御装置１００は、電力量計４００から、上記使用電力を取得する。また、制御装置１００は、各機器の動作状況を取得する。たとえば、制御装置１００は、各機器が動作しているか否かの情報を、上記有線または無線による通信により取得する。さらに、制御装置１００は、人感センサ３１０、３２０、３３０、３４０からの上記在室状況情報を受信する。制御装置１００は、使用電力および在室状況情報とに基づいて、上記宅内機器群の動作を制御する。制御装置１００の制御の詳細については後述する。
【００３０】
＜制御装置１００の制御例−１＞
図２は、制御装置１００が記憶する機器ポイント情報を示した図である。図２を参照して、機器ポイント情報２９においては、各機器（詳しくは、各機器の識別情報）に、それぞれ、少なくとも、通常モード時の基礎ポイントと、来客モード時の基礎ポイントとが対応付けされている。また、通常モードにおいては、機器毎に在室時と不在時とで個別に基礎ポイントが対応付けられている。
【００３１】
空気調和機２２２、２４２については、空気調和機運転時の調整ポイントが対応付けられている。ＩＨ調理器２３２および冷蔵庫２３３には、基礎ポイントが対応付けられていない。この場合、制御装置１００は、ＩＨ調理器２３２および冷蔵庫２３３を制御対象外の機器として認識する。
【００３２】
たとえば、ユーザが制御装置１００に基礎ポイントを入力することにより、制御装置１００に基礎ポイントが格納される。あるいは、制御装置１００は、各機器に記憶されたポイントを当該各機器から受信し、当該受信したポイントを基礎ポイントとして格納してもよい。また、制御装置１００が各機器から受信したポイントを、ユーザが変更可能なように制御装置１００を構成してもよい。
【００３３】
以下、機器ポイント情報２９を用いた場合における制御装置１００の処理の概要について説明する。
【００３４】
制御装置１００は、上記宅内機器群の使用電力が後述する基準電力を超えた場合、機器ポイント情報２９に基づき、制御順位を決定するための度合いである制御優先度が高い機器に対して、当該機器の使用電力を低減させる指令を送信する。ここで、制御優先度は、基礎ポイントおよび空気調和機運転時の調整ポイントで示される。制御装置１００は、動作していない機器については当該指令を出す必要はないため、当該機器は制御対象外として後述する処理を実行する。以下、制御順位について、具体的に説明する。
【００３５】
まず、制御装置１００が通常モードである場合について説明する。さらに、和室９１０と寝室９４０とに人が居ず、リビング９２０とキッチン９３０とに人が居る場合を例に挙げて説明する。なお、制御装置１００は、各部屋に人が居るか居ないかを、上述したように、人感センサ３１０、３２０、３３０、３４０からの信号に基づき判断する。
【００３６】
この場合、制御装置１００は、和室９１０の空気清浄機２１１および照明器具２１２と、寝室９４０のＰＣ２４１、空気調和機２４２、および照明器具２４３とについては、それぞれ、不在時の基礎ポイントを基に制御順位を判断する。また、制御装置１００は、リビング９２０のテレビ２２１、空気調和機２２２、および照明器具２２３と、キッチン９３０のテレビ２３１および照明器具２３４とについては、在室時の基礎ポイントとを基に制御順位を判断する。
【００３７】
さらに、制御装置１００は、空気調和機２２２と空気調和機２４２とについては、現在の室温と設定温度との差分に定数である１００をかけたポイント（調整ポイント）を、制御順位の決定に用いる基礎ポイントから差し引く。制御装置１００は、空気調和機２２２と空気調和機２４２とについては、当該基礎ポイントから調整ポイントを差し引いた後のポイントに基づき制御順位を判断する。たとえば、空気調和機２２２が運転状況にあり、空気調和機２２２が配置されたリビング９２０の室温が２８度で設定温度が２５度であるとする。また、空気調和機２４２が運転していないとする。
【００３８】
このような場合、各機器の制御順位の判断に用いるポイントは、以下のとおりとなる。すなわち、空気清浄機２１１のポイントは「２３００」、照明器具２１２のポイントは「１５００」、テレビ２２１のポイントは「１５００」、空気調和機２２２のポイントは基礎ポイント２０００から調整ポイント３００を差し引いた「１７００」、照明器具２２３のポイントは「１３００」、テレビ２３１のポイントは「１４００」、照明器具２３４のポイントは「１４００」、ＰＣ２４１のポイントは、「２０００」、照明器具２４３のポイントは「１６００」となる。空気調和機２４２は、制御対象外となる。
【００３９】
制御装置１００は、上記ポイントに基づき、ポイントが高い機器を制御順位が高い機器と判断する。具体的には、制御装置１００は、ポイントが「２３００」の空気清浄機２１１の制御順位を１位とする。
【００４０】
この場合、制御装置１００は、空気清浄機２１１に対して、空気清浄機２１１の使用電力を低減させる指令を送る。空気清浄機２１１は、当該指令を受け付けたことに基づき、たとえば運転を停止する。
【００４１】
制御装置１００は、空気清浄機２１１に使用電力を低減するよう指令を送った後、所定時間経過すると、再度、上記宅内機器群の使用電力が後述する基準電力を超えた否かを判断する。
【００４２】
上記宅内機器群の使用電力が基準電力を超えなかった場合、制御装置１００は、再度、上記宅内機器群の使用電力が基準電力を超える状況が発生していないかを監視し続ける。一方、依然として上記宅内機器群の使用電力が後述する基準電力を超えた場合、制御装置１００は、２番目にポイントが高いＰＣ２４１に対して、使用電力を低減させる指令を送る。この場合、ＰＣ２４１は、たとえばスリープモードへの移行を指示する指令を送る。あるいは、ＰＣ２４１は、アプリケーションが立ち上がっていない場合には、電源をオフする。
【００４３】
制御装置１００は、ＰＣ２４１に使用電力を低減するよう指令を送った後、所定時間経過すると、再度、上記宅内機器群の使用電力が後述する基準電力を超えた否かを判断する。制御装置１００は、このような処理を、上記宅内機器群の使用電力が基準電力を超えなくなるまで続ける。
【００４４】
以上により、使用電力制御システム１は、宅内機器群の使用電力を基準電力以下に制御することができる。なお、基準電力とは、たとえば、電力会社との間で契約される契約電力（１年間を通じての最大需用電力を基準とした電力）である。あるいは、基準電力とは、当該契約電力に所定の割合（１０割未満の割合）を乗じた電力である。
【００４５】
また、制御装置１００を以下のように構成してもよい。すなわち、各機器に対して使用電力を低減させる指令として、機器自体の動作を直接制御するコマンドを送信してもよい。たとえば、制御装置１００が各機器のリモートコントローラのように、電源をオフするコマンドや、温度の設定を指示するコマンド、運転モードを切換えるコマンドを、各機器に直接送信する構成としてもよい。なお、この場合、制御装置１００に、制御装置１００を各機器のリモートコントローラとして動作させるためのプログラム等を予め格納しておく必要がある。
【００４６】
なお、来客モードについては、以下の「＜制御装置１００の制御例−２＞」において説明する。
【００４７】
＜ハードウェア構成＞
図３は、制御装置１００のハードウェア構成を示した図である。図３を参照して、制御装置１００は、主たる構成要素として、プログラムを実行するＣＰＵ（Central  Processing  Unit）１０１と、データを不揮発的に格納するＲＯＭ（Read  Only  Memory）１０２と、ＣＰＵ１０１によるプログラムの実行により生成されたデータ、又は操作キー１０６を介して入力されたデータを揮発的に格納するＲＡＭ（Random  Access  Memory）１０３と、データを不揮発的に格納する不揮発性メモリ１０４と、モニタ１０５と、操作キー１０６と、通信ＩＦ（Interface）１０７と、無線通信回路１０８と、ＩＣ（Integrated  Circuit）カードリーダライタ１０９と、アンテナ１１０とを含む。各構成要素は、相互にデータバスによって接続されている。ＩＣカードリーダライタ１０９には、ＩＣカード１０９１が装着される。
【００４８】
通信ＩＦ１０７は、人感センサ３１０、３２０、３３０、３４０と通信を行なうためのインターフェイスである。アンテナ１１０は、無線通信回路１０８に接続されている。制御装置１００は、アンテナ１１０および無線通信回路１０８によって、上記宅内機器群の各機器と無線通信を行なう。
【００４９】
制御装置１００における処理は、各ハードウェアおよびＣＰＵ１０１により実行されるソフトウェアによって実現される。このようなソフトウェアは、不揮発性メモリ１０４に予め記憶されている場合がある。また、ソフトウェアは、ＩＣカード１０９１その他の記憶媒体に格納されて、プログラムプロダクトとして流通している場合もある。あるいは、ソフトウェアは、いわゆるインターネットに接続されている情報提供事業者によってダウンロード可能なプログラムプロダクトとして提供される場合もある。このようなソフトウェアは、ＩＣカードリーダライタ１０９その他の読取装置によりその記憶媒体から読み取られて、あるいは、たとえば図示しない通信ＩＦ等を介してダウンロードされた後、不揮発性メモリ１０４に一旦格納される。そのソフトウェアは、ＣＰＵ１０１によって不揮発性メモリ１０４から読み出され、ＲＡＭ１０３に実行可能なプログラムの形式で格納される。ＣＰＵ１０１は、そのプログラムを実行する。
【００５０】
同図に示される制御装置１００を構成する各構成要素は、一般的なものである。したがって、本発明の本質的な部分は、ＲＡＭ１０３、不揮発性メモリ１０４、ＩＣカード１０９１その他の記憶媒体に格納されたソフトウェア、あるいはネットワークを介してダウンロード可能なソフトウェアであるともいえる。なお、制御装置１００の各ハードウェアの動作は周知であるので、詳細な説明は繰り返さない。
【００５１】
なお、記録媒体としては、ＩＣカードに限られず、ＤＶＤ-ＲＯＭ、ＣＤ−ＲＯＭ、ＦＤ（Flexible  Disk）、ハードディスク、磁気テープ、カセットテープ、光ディスク（ＭＯ（Magnetic  Optical  Disc）／ＭＤ（Mini  Disc）／ＤＶＤ（Digital  Versatile  Disc））、光カード、マスクＲＯＭ、ＥＰＲＯＭ（Electronically  Programmable  Read-Only  Memory）、ＥＥＰＲＯＭ（Electronically  Erasable  Programmable  Read-Only  Memory）、フラッシュＲＯＭなどの半導体メモリ等の固定的にプログラムを担持する媒体でもよい。また、記録媒体は、当該プログラム等をコンピュータが読取可能な一時的でない媒体である。
【００５２】
ここでいうプログラムとは、ＣＰＵにより直接実行可能なプログラムだけでなく、ソースプログラム形式のプログラム、圧縮処理されたプログラム、暗号化されたプログラム等を含む。
【００５３】
なお、制御装置１００は、モニタ１０５の代わりにタッチパネルディスプレイを備えてもよい。この場合、タッチパネルディスプレイのタッチパネルが操作キー１０６と同様に入力デバイスとなる。
【００５４】
＜制御装置１００の制御例−２＞
次に、図２に基づいて説明した制御例とは異なる制御例について説明する。具体的には、各部屋９１０、９２０、９３０、９４０に優先度を付与し、当該優先度を加味して、制御順位を決定する方法について説明する。なお、以下では、主として、図２に基づいて説明した内容と相違する箇所について説明する。図２に基づいて説明した内容と同じ内容については、原則、その説明を繰り返さない。
【００５５】
（データ構造）
図４は、制御装置１００が記憶する基本機器ポイント情報２２を示した図である。基本ポイント情報２２は、上記宅内機器群に含まれる複数の機器間における制御順位を決定するための度合いである制御優先度を示す情報（機器優先度情報）である。
【００５６】
図２を参照して、基本機器ポイント情報２２においては、各機器（詳しくは、各機器の識別情報）に、それぞれ、少なくとも、通常モード時の基礎ポイントと、来客モード時の基礎ポイントと、部屋の名称（詳しくは、部屋の識別情報）とが対応付けられている。また、通常モードにおいては、機器毎に在室時と不在時とで個別に基礎ポイントが対応付けられている。空気調和機２２２、２４２については、空気調和機運転時の調整ポイントが対応付けられている。ＩＨ調理器２３２および冷蔵庫２３３には、基礎ポイントが対応付けられていない。
【００５７】
このように、図４に示した基本機器ポイント情報２２は、部屋の識別情報が各機器に対応付けされている点において、図２に示した機器ポイント情報２９と異なる。部屋の識別情報が対応付けされている点以外は、基本機器ポイント情報２２と機器ポイント情報２９とは同じである。
【００５８】
たとえば、空気清浄機２１１および照明器具２１２は、和室９１０に配置されているため、空気清浄機２１１および照明器具２１２には、和室９１０を示した識別情報が対応付けられている。基本機器ポイント情報２２への部屋の識別情報の記憶は、たとえば、ユーザによる入力操作により行なえばよい。
【００５９】
また、部屋毎に対応した無線ＬＡＮの各親機を介して制御装置１００が宅内機器群と通信するように使用電力制御システム１を構成した場合には、制御装置１００において親機のＩＰアドレスと部屋の識別情報とを予め対応付けておき、制御装置１００が、親機を介して通信がなされた機器の部屋の識別情報を当該親機のＩＰアドレスに基づき決定してもよい。また、部屋の識別情報として、親機のＩＰアドレスを用いてもよい。
【００６０】
図５は、制御装置１００が記憶する部屋情報２３を示した図である。部屋情報２３は、上記宅内機器群に含まれる複数の機器の各々が配置される各部屋の優先度を示す部屋優先度情報である。
【００６１】
図５を参照して、部屋情報２３においては、各部屋（詳しくは、各部屋の識別情報）に、在室時の部屋ポイントと不在時の部屋ポイントとがそれぞれ対応付けされている。部屋情報２３においては、部屋ポイントがマイナスの値として記憶されている。優先度の高い部屋ほど上記マイナスの値の絶対値が大きくなるように、ユーザは、部屋情報２３に示す各ポイントを、操作キー１０６を用いて入力する。
【００６２】
図６は、制御装置１００が記憶する変更後機器ポイント情報２４を示した図である。図６を参照して、制御装置１００は、基本機器ポイント情報２２（図４参照）と部屋情報２３（図５参照）とに基づき、変更後機器ポイント情報２４を生成する。
【００６３】
すなわち、制御装置１００は、基本機器ポイント情報２２における部屋の識別情報に対応した部屋ポイントを用いて、基本機器ポイント情報２２の基礎ポイントの値を変更する。具体的には、機器毎の在室時の基礎ポイントおよび不在時の基礎ポイントに対して、それぞれ在室時の部屋ポイントおよび不在時の部屋ポイントを加算する。なお、部屋ポイントはマイナスの値であるため、当該加算により基礎ポイントは減ることになる。
【００６４】
当該変更の結果、通常モード時における在室時の基礎ポイントおよび不在時の基礎ポイントは、部屋ポイントとして示されたポイント分だけ、図４の通常モード時における在室時の基礎ポイントと不在時の基礎ポイントと異なることになる。なお、上述したように、ＩＨ調理器２３２および冷蔵庫２３３は制御対象外の機器である。
【００６５】
制御装置１００は、変更後機器ポイント情報２４を用いて、「＜制御装置１００の制御例−１＞」で示した処理と同様の処理を行なう。すなわち、制御装置１００は、部屋の優先度を考慮した制御順位に基づいて、使用電力を低減する指令を送る機器を決定する。なお、指令を送る機器の決定方法は、「＜制御装置１００の制御例−１＞」で示した処理と同様であるため、ここでは説明を繰り返さない。
【００６６】
ここで、来客モードについて説明する。ユーザは、来客が予定されている場合、操作キー１０６によって来客があることを示す来客情報を入力し、制御装置１００の動作を通常モードから来客モードに変更する。来客モードに切換った場合、制御装置１００は、通常モードの基礎ポイントではなく、来客モードの基礎ポイントに基づき、使用電力を低減する指令を送る機器を決定する。
【００６７】
なお、図４における基礎ポイントや空気調和機の運転時の調整ポイント、および図５における部屋ポイントの設定の仕方は一例であって、これに限定されるものではない。
【００６８】
たとえば、変更後の基礎ポイントが低い順に使用電力を低減する指令を送る機器を特定するように、制御装置１００を構成してもよい。この場合、基礎ポイントから、正の値のポイントを部屋ポイントとして加算するように、制御装置１００を構成してもよい。
【００６９】
また、通常モードの在室時の基礎ポイントと機器毎の補正ポイント（図示せず）とをユーザが制御装置１００に入力する構成とし、基本機器ポイント情報２２（図４参照）を作成するに際し、制御装置１００が、当該在室時の基礎ポイントと当該補正ポイントとにより不在時の基礎ポイントを算出する構成としてもよい。また、部屋情報２３（図５参照）に、来客時における機器毎の部屋ポイントの情報を含ませてもよい。
【００７０】
以下、上述した制御を実現するための具体的な制御装置１００の構成について、図７に基づいて説明する。
【００７１】
（機能ブロック）
図７は、主として、制御装置１００の機能的構成を示した機能ブロック図である。図７を参照して、制御装置１００は、少なくとも、制御部１０と、記憶装置２０と、操作キー１０６と、無線通信回路１０８とを備える。
【００７２】
制御部１０は、変更部１１と、取得部１２と、判断部１３と、受信部１４と、特定部１５と、受付部１６と、指令生成部１７とを含む。判断部１３は、算出部１３１を有する。無線通信回路１０８は、送信部１０８１と、受信部１０８２とを含む。
【００７３】
記憶装置２０は、基準電力２１と、基本機器ポイント情報２２（機器優先度情報）と、部屋情報２３（部屋優先度情報）と、変更後機器ポイント情報２４（変更後の制御優先度を示した情報）と、宅内機器群に含まれる各機器の定格消費電力を示した定格消費電力情報２５とを格納している。
【００７４】
変更部１１は、複数の機器間における制御順位を決定するための度合いである制御優先度を、部屋優先度情報に基づいて変更する。すなわち、変更部１１は、基本機器ポイント情報２２（図４参照）における基礎ポイントを、部屋情報２３における部屋ポイント（図５参照）を用いて変更する。また、変更部１１は、変更後の順位情報を、記憶装置２０に変更後機器ポイント情報２４（図６参照）として格納する。
【００７５】
取得部１２は、電力量計４００から使用電力を取得する。取得部１２は、取得した使用電力を判断部１３に送る。
【００７６】
判断部１３は、記憶装置２０から基準電力２１を読み込む。判断部１３は、取得部１２が取得した使用電力が基準電力を超えたか否かを判断する。また、判断部１３に含まれる算出部１３１は、当該使用電力と基準電力との差分を算出する。判断部１３は、上記使用電力が基準電力を超えた場合、超えたことを示す情報と上記差分とを特定部１５に送信する。
【００７７】
受信部１４は、人感センサ３１０、３２０、３３０、３４０から、各部屋における人の在室状況を示した在室状況情報を受信する。受信部１４は、各部屋についての在室状況情報を特定部１５に送る。
【００７８】
受付部１６は、操作キー１０６を介した来客の有無を示す入力を受け付ける。受付部１６は、来客が有りの入力を受け付けた場合には、来客が有ることを示す情報を特定部１５に送る。
【００７９】
特定部１５は、判断部１３から使用電力が基準電力を超えたことを示す情報と上記差分と受けたことに基づき、記憶装置２０から定格消費電力情報２５を読み込む。特定部１５は、使用電力が基準電力を超えた場合、変更後機器ポイント情報２４と、上記差分と、上記定格消費電力情報２５とに基づき、使用電力を低減する指令を送信する機器を少なくとも１つ以上特定する。
【００８０】
指令生成部１７は、特定部１５により特定された機器毎に上記指令を生成する。
無線通信回路１０８の送信部１０８１は、指令生成部１７で生成された指令を、上記特定された機器に対して送信する。つまり、送信部１０８１は、使用電力が基準電力を超えたことに基づき、宅内機器群に含まれる複数の機器のうち変更後の制御優先度が高い機器に対して、当該機器の使用電力を低減させる指令を送信する。
【００８１】
以上のように、制御装置１００を備えた使用電力制御システム１では、ユーザが部屋情報の部屋ポイントの設定を行なうことにより、部屋の優先度を考慮しつつも宅内の使用電力の制限が可能となる。以下、制御装置１００について、より詳しく説明すると以下のとおりである。
【００８２】
（１）基本機器ポイント情報２２は、当該機器が設置されている部屋に人が居る場合の制御順位を決定するための度合いである在室時の基礎ポイント（在室時制御優先度）と、当該部屋に人が居ない場合の制御順位を決定するための度合いである不在時の基礎ポイント（不在時制御優先度）とを含む（図４参照）。変更部１１は、在室時制御優先度と、不在時制御優先度とを、部屋情報２３に基づき変更する（図６参照）。
【００８３】
特定部１５は、在室状況情報が部屋に人が居ることを示しているときには、上記在室時制御優先度を変更部１１で変更した後の制御優先度に基づき、上記指令を送信する機器を特定する。一方、特定部１５は、在室状況情報が部屋に人が居ないことを示しているときには、上記不在時制御優先度を変更部１１で変更した後の制御優先度に基づき、上記指令を送信する機器を特定する。
【００８４】
したがって、人の居る場合と人が居ない場合とで制御優先度を別々に設定できる。加えて、部屋の優先度に基づき、当該各制御優先度を変更することができる。
【００８５】
それゆえ、制御装置１００は、部屋の優先度を考慮しつつも宅内の使用電力の制限を可能とするとともに、各部屋における人の有無に応じた適切な制御を行なうことが可能となる。
【００８６】
（２）基本機器ポイント情報２２は、来客がある場合の制御順位を示す基礎ポイント（来客時制御優先度）を含む。変更部１１は、来客時制御優先度を、部屋情報２３に基づき変更する。特定部１５は、来客があることを示す来客情報の入力を受付部１６が受け付けたときには、来客時制御優先度を変更部１１で変更した後の制御優先度に基づき、上記指令を送信する機器を特定する。
【００８７】
したがって、制御装置１００は、来客がある場合には、来客時に適合した制御を行なうことが可能となる。
【００８８】
（３）部屋情報２３は、部屋に人が居る場合の優先度を示す在室時の部屋ポイント（在室時優先度情報）と、当該部屋に人が居ない場合の優先度を示す不在時の部屋ポイント（不在時優先度情報）とを含む（図５参照）。
【００８９】
変更部１１は、人が居る場合の制御順位を決定するための度合いである在室時の基礎ポイント（在室時制御優先度）を、在室時優先度情報を用いて変更し、当該部屋に人が居ない場合の制御順位を示す不在時の基礎ポイント（不在時制御優先度）を、不在時優先度情報を用いて変更する。
【００９０】
特定部１５は、在室状況情報が部屋に人が居ることを示しているときには、変更部１１により上記在室時優先度情報を用いて変更された制御優先度に基づき上記指令を送信する機器を特定する。また、特定部１５は、在室状況情報が部屋に人が居ないことを示しているときには、変更部１１により上記不在時優先度情報を用いて変更された制御優先度に基づき上記指令を送信する機器を特定する。
【００９１】
当該構成では、人の居る場合と人が居ない場合とで制御優先度が異なるとともに、人の居る場合と人が居ない場合とで部屋の優先度が異なる。
【００９２】
したがって、人の居る場合と人が居ない場合とで部屋の優先度を別々に設定せずに、人の居る場合と人が居ない場合とで制御優先度を別々に設定する場合に比べて、制御装置１００は、より細やか、かつユーザの嗜好に適した制御が可能となる。
【００９３】
（４）無線通信回路１０８の受信部１０８２は、制御装置１００は、空気調和機２２２、２４２から、当該空気調和機が設置された部屋の設定条件を示した設定条件情報と、当該設定条件下における当該部屋の環境を示した環境情報とを受信する。設定条件情報は、設定温度の情報を含む。また、環境情報は、少なくとも、部屋の温度を示した室温の情報を含む。なお、環境情報は、室温の情報以外に、たとえば湿度の情報を含んでもよい。
【００９４】
変更部１１は、部屋情報２３と上記設定条件情報と上記環境情報とに基づいて、宅内機器群に含まれる複数の機器間における制御順位を決定するための度合いである制御優先度を変更する。
【００９５】
したがって、制御装置１００は、設定条件と部屋の環境との隔たりを考慮して、使用電力を低減する機器を特定することができる。たとえば、大きな隔たり（たとえば、設定温度と室温とが５度以上有る場合）がある空気調和機と、小さな隔たり（たとえば、設定温度と室温とが１度程度の場合）しかない空気調和機とでは、小さな隔たりしかない空気調和機に対して使用電力の低減を指示し易くなる。たとえば、変更後機器ポイント情報２４における基礎ポイントの値が２つの空気調和機で同じとなる場合には、制御装置１００は、設定条件と部屋の環境との隔たりが小さい空気調和機に対して使用電力の低減をさせる指示を送信する。
【００９６】
＜制御構造＞
図８は、制御装置１００の処理の流れを示したフローチャートである。図８を参照して、ステップＳ２において、制御装置１００は、記憶装置２０から基準電力２１を読み込む。ステップＳ４において、制御装置１００は、電力量計４００から使用電力を取得する。ステップＳ６において、制御装置１００は、取得した使用電力が基準電力２１よりも大きいか否かを判断する。
【００９７】
制御装置１００は、使用電力が基準電力２１よりも大きいと判断した場合（ステップＳ６においてＹＥＳ）、ステップＳ８において、人感センサ３１０、３２０、３３０、３４０から受信した在室状況情報を確認する。制御装置１００は、使用電力が基準電力２１よりも大きくないと判断した場合（ステップＳ６においてＮＯ）、処理をステップＳ４に戻す。
【００９８】
ステップＳ１０において、制御装置１００は、現在の動作モードが通常モードであるか来客モードであるのかを確認する。ステップＳ１２において、制御装置１００は、変更後機器ポイント情報２４に基づき、在室状況及び動作モードに応じた変更後の制御優先度を判断する。
【００９９】
ステップＳ１４において、制御装置１００は、宅内機器群に含まれる複数の機器の中から、使用電力を低減させる機器を特定する。ステップＳ１６において、制御装置１００は、使用電力を低減させる機器の制御量を設定する。ステップＳ１８において、制御装置１００は、特定した機器に対する使用電力を低減させる指令を生成し、当該生成した指令を当該特定した機器に送信する。
【０１００】
ステップＳ２０において、制御装置１００は、予め定められた時間が経過したか否かを判断する。制御装置１００は、予め定められた時間が経過したと判断した場合（ステップＳ２０においてＹＥＳ）、ステップＳ２２において、電源をオフにする入力を受け付けたか否かを判断する。制御装置１００は、予め定められた時間が経過していないと判断した場合（ステップＳ２０においてＮＯ）、処理をステップＳ２０に戻す。
【０１０１】
制御装置１００は、電源をオフにする入力を受け付けたと判断した場合（ステップＳ２２においてＹＥＳ）、一連の処理を終了する。制御装置１００は、電源をオフにする入力を受け付けていないと判断した場合（ステップＳ２２においてＮＯ）、処理をステップＳ２に進める。
【０１０２】
図９は、図８のステップＳ１４に示す処理の詳細を示したフローチャートである。図９を参照して、ステップＳ１０２において、制御装置１００は、使用電力と基準電力２１との差分を算出する。ステップＳ１０４において、制御装置１００は、記憶装置２０から定格消費電力情報２５を読み込む。ステップＳ１０６において、制御装置１００は、変数ｉの値を「１」に設定する。なお、変数ｉの値は、記憶装置２０に記憶される。
【０１０３】
ステップＳ１０８において、制御装置１００は、変更後の制御優先度における制御順位が１番目からｉ番目の機器の定格消費電力の和が、上記算出した差分よりも大きいか否かを判断する。制御装置１００は、大きいと判断した場合（ステップＳ１０８においてＹＥＳ）、ステップＳ１１０において、変更後の制御優先度における制御順位が１番目からｉ番目の機器を、使用電力を低減させる機器であると特定する。制御装置は、大きくないと判断した場合（ステップＳ１０８においてＮＯ）、ステップＳ１１２において、変数ｉの値を１だけ増加する。制御装置１００は、ステップＳ１１２の後は、処理をステップＳ１０８に進める。
【０１０４】
＜変形例＞
（１）機器ポイント情報２９（図２参照）においては、在室時の基礎ポイントと不在時の基礎ポイントと来客時の基礎ポイントとが、予め個別に記憶されていた。しかしながら、このような構成に限定されず、不在時の基礎ポイントと来客時の基礎ポイントとを演算で求めるように制御装置１００を構成してもよい。
【０１０５】
図１０は、不在時の基礎ポイントと来客時の基礎ポイントとを演算により求める場合における、機器ポイント情報２９Ａを示した図である。図１０は、図２に対応する図面でもある。
【０１０６】
図１０を参照して、機器ポイント情報２９Ａでは、各機器（詳しくは、機器の識別情報）に、基礎ポイントと、不在時の調整ポイントと、来客時の調整ポイントと、空気調和機運転時の調整ポイントとが対応付けられている。なお、基礎ポイントに対して空気調和機運転時の調整ポイントが対応付けられている点は、図２と同じである。
【０１０７】
制御装置１００は、基礎ポイントを、不在時の調整ポイントまたは来客時の調整ポイントを用いて調整する。たとえば、照明機器が配置されている部屋に人が存在しない場合には、制御装置１００は、当該照明機器の制御順位を決定するためのポイント（変更後のポイント）を、「１７００」とする。また、来客がある場合には、制御装置１００は、当該照明機器の制御順位を決定するためのポイント（変更後のポイント）を、「１１００」とする。
【０１０８】
このような構成によっても、使用電力制御システム１は、宅内機器群の使用電力を基準電力以下に制御することができる。
【０１０９】
（２）基本機器ポイント情報２２（図４参照）においては、在室時の基礎ポイントと不在時の基礎ポイントと来客時の基礎ポイントとが、予め個別に記憶されていた。しかしながら、このような構成に限定されず、不在時の基礎ポイントと来客時の基礎ポイントとを演算により求めるように制御装置１００を構成してもよい。
【０１１０】
図１１は、不在時の基礎ポイントと来客時の基礎ポイントとを演算により求める場合における、基本機器ポイント情報２２Ａを示した図である。図１１は、図４に対応する図面でもある。
【０１１１】
図１１を参照して、基本機器ポイント情報２２Ａでは、各機器（詳しくは、機器の識別情報）に、基礎ポイントと、不在時の調整ポイントと、来客時の調整ポイントと、空気調和機運転時の調整ポイントと、部屋の名称（詳しくは、部屋の識別情報）とが対応付けられている。基礎ポイントに対して部屋の名称が対応付けられている点以外は、図１１は図１０と同じである。
【０１１２】
図１２は、制御装置１００が記憶する部屋情報２３Ａを示した図である。部屋情報２３Ａは、部屋情報２３（図５参照）と同様、上記宅内機器群に含まれる複数の機器の各々が配置される各部屋の優先度を示す部屋優先度情報である。
【０１１３】
図１２を参照して、部屋情報２３Ａにおいては、各部屋（詳しくは、各部屋の識別情報）に対して、部屋ポイントとが対応付けされている。部屋情報２３Ａにおいては、部屋ポイントがマイナスの値として記憶されている。優先度の高い部屋ほど上記マイナスの値の絶対値が大きくなるように、ユーザは、部屋情報２３Ａに示す各ポイントを、操作キー１０６を介して入力する。
【０１１４】
図１３は、変更後機器ポイント情報２４Ａを示した図である。図１３を参照して、制御装置１００は、基本機器ポイント情報２２Ａと部屋情報２３Ａとに基づいて、変更後機器ポイント情報２４Ａを生成する。すなわち、制御装置１００は、基本機器ポイント情報２２Ａにおける部屋の識別情報に対応した部屋ポイントを用いて、基本機器ポイント情報２２Ａの基礎ポイントの値を変更する。具体的には、機器毎の基礎ポイントに対して、部屋ポイントを加算する。なお、部屋ポイントはマイナスの値であるため、当該加算により基礎ポイントは減ることになる。当該変更の結果、基礎ポイントは、部屋ポイントとして示されたポイント分だけ、図１１の基礎ポイントと異なることになる。
【０１１５】
このような構成によっても、使用電力制御システム１は、宅内機器群の使用電力を基準電力以下に制御することができる。また、使用電力制御システム１は、部屋の優先度を考慮して使用電力を低減させる機器を特定し、かつ当該機器の使用電力を低減させる。したがって、使用電力制御システム１は、部屋の優先度を考慮しない使用電力制御システムに比べて、ユーザにとって利便性に優れる。
【０１１６】
また、このような構成の制御装置１００については、在室状況情報が部屋に人が居ることを示している場合、変更部１１が、部屋優先度情報と在室状況情報に応じて予め定められた情報とに基づいて、制御優先度を変更する構成であるといえる。
【０１１７】
当該構成によれば、制御装置１００は、部屋の優先度を考慮しつつも宅内の使用電力の制限を可能とするとともに、各部屋における人の有無に応じた適切な制御を行なうことが可能となる。
【０１１８】
さらに、制御装置１００については、来客があることを示す来客情報の入力があった場合には、変更部１１が、部屋優先度情報と来客情報に応じて予め定められた情報とに基づいて、制御優先度を変更する構成であるといえる。
【０１１９】
当該構成によれば、制御装置１００は、来客がある場合には、来客時に適合した制御を行なうことが可能となる。
【０１２０】
（３）上記においては、記憶装置２０は各機器の定格消費電力を示した定格消費電力情報２５を格納しているが、定格消費電力情報２５の代わりに、予め設定された動作時の消費電力を示す情報を格納してもよい。当該消費電力は、たとえば使用予測電力である。当該使用予測電力は、たとえば、ユーザが定格消費電力に基づき決定すればよい。
【０１２１】
（４）上記においては、たとえば、空気清浄機２１１は、空気清浄機２１１の使用電力を低減させる指令を受信した場合に運転を停止した。しかしながら、このように機器の電源をオフする場合に限られず、現在の運転モードから現在の運転モードよりも使用電力が低い運転モードに切換えることにより省エネ運転を実現させるように使用電力制御システム１を構成してもよい。
【０１２２】
このような構成の場合、たとえば変更後の制御優先度における制御順位が１番の機器の電源をオフすることにより複数の機器の使用電力を基準電力２１以下にできる場合であっても、変更後の制御優先度における制御順位が上位となる複数の機器を省エネ運転させることにより、使用電力を基準電力２１以下にできる。
【０１２３】
（５）今回開示された実施の形態は例示であって、上記内容のみに制限されるものではない。本発明の範囲は請求の範囲によって示され、請求の範囲と均等の意味および範囲内でのすべての変更が含まれることが意図される。
【符号の説明】
【０１２４】
１  使用電力制御システム、１０  制御部、１１  変更部、１２  取得部、１３  判断部、１４  受信部、１５  特定部、１６  受付部、１７  指令生成部、２０  記憶装置、２１  基準電力、２２  基本機器ポイント情報、２２  基本機器ポイント情報、２２Ａ  基本機器ポイント情報、２３  部屋情報、２３Ａ  部屋情報、２４  変更後機器ポイント情報、２４Ａ  変更後機器ポイント情報、２５  定格消費電力情報、２９  機器ポイント情報、２９Ａ  機器ポイント情報、１００  制御装置、１０１  ＣＰＵ、１０２  ＲＯＭ、１０３  ＲＡＭ、１０４  不揮発性メモリ、１０５  モニタ、１０６  操作キー、１０７  通信ＩＦ、１０８  無線通信回路、１０９  カードリーダライタ、１１０  アンテナ、１３１  算出部、２１１  空気清浄機、２１２  照明器具、２２１  テレビ、２２２  空気調和機、２２３  照明器具、２３１  テレビ、２３２  調理器、２３３  冷蔵庫、２３４  照明器具、２４２  空気調和機、２４３  照明器具、３１０  人感センサ、３２０  人感センサ、３３０  人感センサ、３４０  人感センサ、４００  電力量計、９００  家屋、９１０  和室、９２０  リビング、９３０  キッチン、９４０  寝室、１０８１  送信部、１０８２  受信部。
【図１】
0005631897.tif 000002
【図２】
0005631897.tif 000003
【図３】
0005631897.tif 000004
【図４】
0005631897.tif 000005
【図５】
0005631897.tif 000006
【図６】
0005631897.tif 000007
【図７】
0005631897.tif 000008
【図８】
0005631897.tif 000009
【図９】
0005631897.tif 000010
【図１０】
0005631897.tif 000011
【図１１】
0005631897.tif 000012
【図１２】
0005631897.tif 000013
【図１３】
0005631897.tif 000014